【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
被写体を撮影して得た画像信号を記録する撮影処理と、記録された画像信号を再生する再生処理とを行う撮像装置であって、
画像信号により表される画像から顔を検出する顔検出手段と、
前記顔検出手段により検出された顔と、記憶手段に予め記憶された、１人以上の個人を認識するための参照情報とを比較することで、前記個人のうち、前記画像に記録された個人を認識する認識処理を行う認識手段と、
前記撮影処理に先立って、表示手段に、ユーザーに前記参照情報に対応する個人から１人以上を指定させるための表示を行わせ、前記撮影処理において、前記認識手段に、前記顔検出手段により検出された顔と、前記参照情報のうち、前記指定された個人を認識するための参照情報とを比較させて、前記認識処理を行わせるとともに、前記再生処理において、前記ユーザーに個人を指定させずに、前記認識手段に、前記顔検出手段により検出された顔と、前記参照情報とを順に比較させて前記認識処理を行わせる制御手段と
を有することを特徴とする撮像装置。
【請求項２】
前記再生処理において、前記制御手段は、前記認識手段に、前記顔検出手段により検出された顔と、前記記憶手段に予め記憶された前記参照情報の全てとを比較させて前記認識処理を行わせることを特徴とする請求項１に記載の撮像装置。
【請求項３】
被写体を撮影して得た画像信号を記録する撮影処理と、記録された画像信号を再生する再生処理とを行う撮像装置であって、
画像信号により表される画像から顔を検出する顔検出手段と、
前記顔検出手段により検出された顔と、記憶手段に予め記憶された、１人以上の個人を認識するための参照情報とを比較することで、前記個人のうち、前記画像に記録された個人を認識する認識処理を行う認識手段と、
前記撮影処理において、前記認識手段が前記個人のうちの１人を認識した時点で、前記認識処理を終了させるように前記認識手段を制御するとともに、前記再生処理において、前記顔検出手段により検出された全ての顔に対して、前記認識処理を行わせるように前記認識手段を制御する制御手段と
を有することを特徴とする撮像装置。
【請求項４】
前記認識手段により認識された前記個人の顔の情報に基づいて、前記撮影処理における、焦点調節、露出調節、ホワイトバランス調節の少なくともいずれか１つを含む撮影条件を調節する調節手段を更に有することを特徴とする請求項１乃至３のいずれか１項に記載の撮像装置。
【請求項５】
前記認識手段による認識結果に基づいて、前記再生処理により再生した画像を前記認識された個人毎に分類する分類手段を更に有することを特徴とする請求項１乃至４のいずれか１項に記載の撮像装置。
【請求項６】
被写体を撮影して得た画像信号を記録する撮影処理と、記録された画像信号を再生する再生処理とを行う撮像装置の制御方法であって、
顔検出手段が、画像信号により表される画像から顔を検出する顔検出工程と、
認識手段が、前記顔検出工程により検出された顔と、記憶手段に予め記憶された、１人以上の個人を認識するための参照情報とを比較することで、前記個人のうち、前記画像に記録された個人を認識する認識処理を行う認識工程と、
制御手段が、前記撮影処理に先立って、表示手段に、ユーザーに前記参照情報に対応する個人から１人以上を指定させるための表示を行わせ、前記撮影処理において、前記認識手段に、前記顔検出工程により検出された顔と、前記参照情報のうち、前記指定された個人を認識するための参照情報とを比較させて、前記認識処理を行わせるとともに、前記再生処理において、前記ユーザーに個人を指定させずに、前記認識手段に、前記顔検出工程により検出された顔と、前記参照情報とを順に比較させて前記認識処理を行わせる制御工程と
を有することを特徴とする制御方法。
【請求項７】
被写体を撮影して得た画像信号を記録する撮影処理と、記録された画像信号を再生する再生処理とを行う撮像装置の制御方法であって、
顔検出手段が、画像信号により表される画像から顔を検出する顔検出工程と、
認識手段が、前記顔検出工程により検出された顔と、記憶手段に予め記憶された、１人以上の個人を認識するための参照情報とを比較することで、前記個人のうち、前記画像に記録された個人を認識する認識処理を行う認識工程と、
制御手段が、前記撮影処理において、前記認識手段が前記個人のうちの１人を認識した時点で、前記認識処理を終了させるように前記認識手段を制御するとともに、前記再生処理において、前記顔検出工程により検出された全ての顔に対して、前記認識処理を行わせるように前記認識手段を制御する制御工程と
を有することを特徴とする制御方法。
【手続補正２】
【補正対象書類名】明細書
【補正対象項目名】０００７
【補正方法】変更
【補正の内容】
【０００７】
本発明は上記問題点を鑑みてなされたものであり、撮像装置の動作に応じた速度及び精度で、得られた画像から予め記憶された個人を検出できるようにすることを目的とする。
【手続補正３】
【補正対象書類名】明細書
【補正対象項目名】０００８
【補正方法】変更
【補正の内容】
【０００８】
上記目的を達成するために、被写体を撮影して得た画像信号を記録する撮影処理と、記録された画像信号を再生する再生処理とを行う本発明の撮像装置は、画像信号により表される画像から顔を検出する顔検出手段と、前記顔検出手段により検出された顔と、記憶手段に予め記憶された、１人以上の個人を認識するための参照情報とを比較することで、前記個人のうち、前記画像に記録された個人を認識する認識処理を行う認識手段と、前記撮影処理に先立って、表示手段に、ユーザーに前記参照情報に対応する個人から１人以上を指定させるための表示を行わせ、前記撮影処理において、前記認識手段に、前記顔検出手段により検出された顔と、前記参照情報のうち、前記指定された個人を認識するための参照情報とを比較させて、前記認識処理を行わせるとともに、前記再生処理において、前記ユーザーに個人を指定させずに、前記認識手段に、前記顔検出手段により検出された顔と、前記参照情報とを順に比較させて前記認識処理を行わせる制御手段とを有する。
【手続補正４】
【補正対象書類名】明細書
【補正対象項目名】０００９
【補正方法】変更
【補正の内容】
【０００９】
また、被写体を撮影して得た画像信号を記録する撮影処理と、記録された画像信号を再生する再生処理とを行う撮像装置の本発明の制御方法は、顔検出手段が、画像信号により表される画像から顔を検出する顔検出工程と、認識手段が、前記顔検出工程により検出された顔と、記憶手段に予め記憶された、１人以上の個人を認識するための参照情報とを比較することで、前記個人のうち、前記画像に記録された個人を認識する認識処理を行う認識工程と、制御手段が、前記撮影処理に先立って、表示手段に、ユーザーに前記参照情報に対応する個人から１人以上を指定させるための表示を行わせ、前記撮影処理において、前記認識手段に、前記顔検出工程により検出された顔と、前記参照情報のうち、前記指定された個人を認識するための参照情報とを比較させて、前記認識処理を行わせるとともに、前記再生処理において、前記ユーザーに個人を指定させずに、前記認識手段に、前記顔検出工程により検出された顔と、前記参照情報とを順に比較させて前記認識処理を行わせる制御工程とを有する。
【手続補正５】
【補正対象書類名】明細書
【補正対象項目名】００１０
【補正方法】変更
【補正の内容】
【００１０】
また、別の構成によれば、被写体を撮影して得た画像信号を記録する撮影処理と、記録された画像信号を再生する再生処理とを行う本発明の撮像装置は、画像信号により表される画像から顔を検出する顔検出手段と、前記顔検出手段により検出された顔と、記憶手段に予め記憶された、１人以上の個人を認識するための参照情報とを比較することで、前記個人のうち、前記画像に記録された個人を認識する認識処理を行う認識手段と、前記撮影処理において、前記認識手段が前記個人のうちの１人を認識した時点で、前記認識処理を終了させるように前記認識手段を制御するとともに、前記再生処理において、前記顔検出手段により検出された全ての顔に対して、前記認識処理を行わせるように前記認識手段を制御する制御手段とを有する。
【手続補正６】
【補正対象書類名】明細書
【補正対象項目名】００１１
【補正方法】変更
【補正の内容】
【００１１】
更に、被写体を撮影して得た画像信号を記録する撮影処理と、記録された画像信号を再生する再生処理とを行う撮像装置の本発明の制御方法は、顔検出手段が、画像信号により表される画像から顔を検出する顔検出工程と、認識手段が、前記顔検出工程により検出された顔と、記憶手段に予め記憶された、１人以上の個人を認識するための参照情報とを比較することで、前記個人のうち、前記画像に記録された個人を認識する認識処理を行う認識工程と、制御手段が、前記撮影処理において、前記認識手段が前記個人のうちの１人を認識した時点で、前記認識処理を終了させるように前記認識手段を制御するとともに、前記再生処理において、前記顔検出工程により検出された全ての顔に対して、前記認識処理を行わせるように前記認識手段を制御する制御工程とを有する。
【手続補正７】
【補正対象書類名】明細書
【補正対象項目名】００１２
【補正方法】変更
【補正の内容】
【００１２】
本発明によれば、撮像装置の動作に応じた速度及び精度で、得られた画像から予め記憶された個人を検出することができる。
【手続補正８】
【補正対象書類名】明細書
【補正対象項目名】００２０
【補正方法】変更
【補正の内容】
【００２０】
１４は、制御部１３の制御に基づいてフォーカスレンズ２を駆動するフォーカスレンズ駆動回路である。制御部１３は撮像素子３により撮影して得た画像信号の内、測距枠内の画像信号のコントラストがピークとなるフォーカスレンズの位置を検出し、その位置にフォーカスレンズ２を駆動することにより合焦制御を行う。
【手続補正９】
【補正対象書類名】明細書
【補正対象項目名】００２３
【補正方法】変更
【補正の内容】
【００２３】
ステップＳ１において、被写体像を表示部１０にＥＶＦ表示すると共に、個人データベース１７に登録されている個人の中から、個人指定操作部１８により検出したい個人の指定を行う。例えば、８人分の個人情報ファイルが個人データベース１７に登録されている場合、図３に示すように、登録されている８人の名前や顔画像を一覧表示し、その中から１以上選択することで、認識対象とする個人を指定する。即ち、個人指定操作部１８と制御部１３により、制御手段が構成される。
【手続補正１０】
【補正対象書類名】図面
【補正対象項目名】図５
【補正方法】変更
【補正の内容】
【図５】
2008294846.tif 000001